(57)【要約】【課題】例文検索で検索した例文に対応付けられている見出語の語義内容を、直接表示する情報表示制御装置、サーバ及びプログラムを提供すること。【解決手段】表示画面Ｗ２００に表示された例文を選択し、ジャンプウィンドウＪ２００にて、用例出典ジャンプを選択する。用例出典ジャンプが選択されると、英和辞典例文ＤＢにおいて、選択された例文に対応付けて記憶された見出語の語義に対応する説明情報を、表示画面Ｗ２００に直接表示する。【選択図】  図１３
2005025293.tif 000002
【特許請求の範囲】
【請求項１】
見出語と、当該見出語の説明情報とを語義毎に対応付けて記憶する記憶手段と、
この記憶手段に記憶された見出語を用いた例文を、当該見出語及び当該見出語の語義に対応付けて記憶する例文記憶手段と、
入力文字を入力する入力手段と、
この入力手段によって入力された入力文字を含む例文を前記例文記憶手段から読み出して表示する制御を行う例文表示制御手段と、
この例文表示制御手段によって表示された例文のうち、一の例文を指定する指定手段と、
この指定手段によって指定された例文で用いられた見出語の説明情報を前記記憶手段から読み出し、当該例文で用いられた当該見出語の説明情報の先頭部分を表示した後、当該例文で用いられた当該見出語の当該語義の説明情報の部分が所定の位置に表示されるまで当該説明情報をスクロールして表示する制御を行う語義表示制御手段と、を備えることを特徴とする情報表示制御装置。
【請求項２】
見出語と、当該見出語の説明情報とを語義毎に対応付けて記憶する記憶手段と、
この記憶手段に記憶された見出語を用いた例文を、当該見出語及び当該見出語の語義の位置に対応付けて記憶する例文記憶手段と、
入力文字を入力する入力手段と、
この入力手段によって入力された入力文字を含む例文を前記例文記憶手段から読み出して表示する制御を行う例文表示制御手段と、
この例文表示制御手段によって表示された例文のうち、一の例文を指定する指定手段と、
この指定手段によって指定された例文で用いられた見出語の語義の位置を前記記憶手段から読み出し、当該見出語の語義の位置の説明情報を表示する制御を行う語義位置情報表示制御手段と、を備えることを特徴とする情報表示制御装置。
【請求項３】
単語を、その単語が含まれる前記例文記憶手段に記憶された例文に対応付けて記憶する単語情報記憶手段を更に備え、
前記入力手段は、複数の単語を入力文字として入力する複数単語入力手段を有し、
前記例文表示制御手段は、前記複数単語入力手段によって入力された各単語全てに対応付けられている例文を前記単語情報記憶手段から判別し、判別した例文を前記例文記憶手段から読み出して表示する制御を行う複数単語入力時表示制御手段を有する、ことを特徴とする請求項１又は２に記載の情報表示制御装置。
【請求項４】
前記例文表示制御手段は、例文と併せて当該例文に用いられた当該見出語を更に表示することを特徴する請求項１〜３の何れか一項に記載の情報表示制御装置。
【請求項５】
前記例文表示制御手段は、例文と併せて当該例文に用いられた当該見出語の当該語義を視認させるための識別子を更に表示することを特徴とする請求項１〜４の何れか一項に記載の情報表示制御装置。
【請求項６】
所定の通信回線を介して利用者端末と接続されるサーバにおいて、
見出語と、当該見出語の説明情報とを語義毎に対応付けて記憶する記憶手段と、
この記憶手段に記憶された見出語を用いた例文を、当該見出語及び当該見出語の語義に対応付けて記憶する例文記憶手段と、
利用者端末から入力文字を受信する入力文字受信手段と、
この入力文字受信手段によって受信された入力文字を含む例文を前記例文記憶手段から読み出して利用者端末に送信する例文送信手段と、
この例文送信手段によって送信された例文のうち、一の例文を指定する情報を利用者端末から受信する例文指定情報受信手段と、
この例文指定情報受信手段によって受信された情報で指定された例文で用いられた見出語の説明情報を前記記憶手段から読み出し、当該見出語の説明情報と、当該見出語の当該語義の説明情報の部分が所定の位置に表示されるまで当該説明情報をスクロールして表示させる制御情報と、を利用者端末に送信する説明情報送信手段と、を備えることを特徴とするサーバ。
【請求項７】
所定の通信回線を介して利用者端末と接続されるサーバにおいて、
見出語と、当該見出語の説明情報とを語義毎に対応付けて記憶する記憶手段と、
この記憶手段に記憶された見出語を用いた例文を、当該見出語及び当該見出語の語義の位置に対応付けて記憶する例文記憶手段と、
利用者端末から入力文字を受信する入力文字受信手段と、
この入力文字受信手段によって受信された入力文字を含む例文を前記例文記憶手段から読み出して利用者端末に送信する例文送信手段と、
この例文送信手段によって送信された例文のうち、一の例文を指定する情報を利用者端末から受信する例文指定情報受信手段と、
この例文指定情報受信手段によって受信された情報で指定された例文で用いられた見出語の語義の位置を前記記憶手段から読み出し、当該見出語の説明情報と、当該見出語の語義の位置の説明情報を表示させる制御情報と、を利用者端末に送信する語義位置情報送信手段と、を備えることを特徴とするサーバ。
【請求項８】
コンピュータに、
見出語と、当該見出語の説明情報とを語義毎に対応付けて記憶する記憶機能と、
この記憶機能により記憶された見出語を用いた例文を、当該見出語及び当該見出語の語義に対応付けて記憶する例文記憶機能と、
入力文字を入力する入力機能と、
この入力機能によって入力された入力文字を含む例文を前記例文記憶機能により記憶された例文から読み出して表示する制御を行う例文表示制御機能と、
この例文表示制御機能によって表示された例文のうち、一の例文を指定する指定機能と、
この指定機能によって指定された例文で用いられた見出語の説明情報を前記記憶機能から読み出し、当該例文で用いられた当該見出語の説明情報の先頭部分を表示した後、当該例文で用いられた当該見出語の当該語義の説明情報の部分が所定の位置に表示されるまで当該説明情報をスクロールして表示する制御を行う語義表示制御機能と、を実現させることを特徴とするプログラム。
【請求項９】
コンピュータに、
見出語と、当該見出語の説明情報とを語義毎に対応付けて記憶する記憶機能と、
この記憶機能により記憶された見出語を用いた例文を、当該見出語及び当該見出語の語義の位置に対応付けて記憶する例文記憶機能と、
入力文字を入力する入力機能と、
この入力機能によって入力された入力文字を含む例文を前記例文記憶機能により記憶された例文から読み出して表示する制御を行う例文表示制御機能と、
この例文表示制御機能によって表示された例文のうち、一の例文を指定する指定機能と、
この指定機能によって指定された例文で用いられた見出語の語義の位置を前記記憶機能から読み出し、当該見出語の語義の位置の説明情報を表示する制御を行う語義位置情報表示制御機能と、を実現させることを特徴とするプログラム。
【請求項１０】
所定の通信回線を介して利用者端末と接続されるコンピュータに、
見出語と、当該見出語の説明情報とを語義毎に対応付けて記憶する記憶機能と、
この記憶機能に記憶された見出語を用いた例文を、当該見出語及び当該見出語の語義に対応付けて記憶する例文記憶機能と、
利用者端末から入力文字を受信する入力文字受信機能と、
この入力文字受信機能によって受信された入力文字を含む例文を前記例文記憶機能により記憶された例文から読み出して利用者端末に送信する例文送信機能と、
この例文送信機能によって送信された例文のうち、一の例文を指定する情報を利用者端末から受信する例文指定情報受信機能と、
この例文指定情報受信機能によって受信された情報で指定された例文で用いられた見出語の説明情報を前記記憶機能により記憶された見出語から読み出し、当該見出語の説明情報と、当該見出語の当該語義の説明情報の部分が所定の位置に表示されるまで当該説明情報をスクロールして表示させる制御情報と、を利用者端末に送信する説明情報送信機能と、を実現させるためのプログラム。
【請求項１１】
所定の通信回線を介して利用者端末と接続されるコンピュータに、
見出語と、当該見出語の説明情報とを語義毎に対応付けて記憶する記憶機能と、
この記憶機能に記憶された見出語を用いた例文を、当該見出語及び当該見出語の語義の位置に対応付けて記憶する例文記憶機能と、
利用者端末から入力文字を受信する入力文字受信機能と、
この入力文字受信機能によって受信された入力文字を含む例文を前記例文記憶機能により記憶された例文から読み出して利用者端末に送信する例文送信機能と、
この例文送信機能によって送信された例文のうち、一の例文を指定する情報を利用者端末から受信する例文指定情報受信機能と、
この例文指定情報受信機能によって受信された情報で指定された例文で用いられた見出語の語義の位置を前記記憶機能により記憶された見出語から読み出し、当該見出語の説明情報と、当該見出語の語義の位置の説明情報を表示させる制御情報と、を利用者端末に送信する語義位置情報送信機能と、を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞典、英和辞典、和英辞典、英英辞典といった数種類の辞書データベース（以下、データベースを「ＤＢ」と表す。）を内蔵した電子辞書と呼ばれる情報表示制御装置が知られている。辞書ＤＢには、見出語と、当該見出語を説明・解説する説明情報とを対応付けた辞書データが多数蓄積されている（例えば、特許文献１参照）。
【０００３】
また、電子辞書には、ユーザが所望する情報を効率良く検索可能とするため、例えばジャンプ機能といった様々な機能を備えたものもある。このジャンプ機能とは、次のような機能である。即ち、ユーザにより入力された文字（以下、適宜「入力文字」という。）に適合する見出し語に対応する説明情報を表示した後、当該説明情報中の単語が指定される（以下、適宜「ジャンプ元」という。）。そして、所定の指定入力が行われると、この指定された単語に適合する見出し語を再度検索し、当該見出し語（以下、適宜「ジャンプ先」という。）に対応する説明情報を表示する機能である。また、ジャンプ機能において、ジャンプ元の単語に関連した全ての情報を表示させる機能も知られている（例えば、特許文献２参照）。
【０００４】
【特許文献１】
特開２００２−１０８８５７号公報
【特許文献２】
特開２０００−２７６４８５号公報
【０００５】
【発明が解決しようとする課題】
ところで、例文検索によって表示された例文に含まれる単語の語義を調べる際には次のような問題があった。即ち、表示された例文に含まれる単語に対して上述した従来のジャンプ機能を実行すると、当該単語に対する説明情報が辞書ＤＢから読み出されて表示されるが、先頭から表示されるものであった。このため、ユーザは、例文に含まれる単語の語義を、説明情報の中から探し出す必要があり、使い勝手が悪かった。
【０００６】
特に、近年、紙の辞書を全て電子化した、所謂フルコンテンツタイプの電子辞書がよく利用されるようになってきた。このタイプの辞書では、１つの見出語についての説明情報が大量にあり、それがいちどきに表示されるため、所望の説明情報を探すのに何ページも移動（画面スクロール等）する必要があり、手間がかかっていた。
【０００７】
ここで、従来の電子辞書において、例文に対応付けられている見出語を選択し、選択された見出語の語義を調べる場合について、図１７を参照して説明する。
【０００８】
図１７（ａ）は、ジャンプ先辞典の選択ウィンドウＪ５０が表示されている表示画面Ｗ５０の一例を表した図である。ユーザにより、例文「ｂａｌａｎｃｅ  ｗｏｒｋ  ｔａｋｉｎｇ  ｃａｒｅ  ｏｆ  ｈｅｒ  ｂａｂｉｅｓ」に対応付けられている出典見出語「ｂａｌａｎｃｅ」が選択され、反転表示Ｍ５０がなされている。ここで、出典見出語とは、当該例文が対応付けられている見出語のことをいい、例えば、例文「ｂａｌａｎｃｅ  ｗｏｒｋ  ｔａｋｉｎｇ  ｃａｒｅ  ｏｆ  ｈｅｒ  ｂａｂｉｅｓ」が、英和辞典の見出語「ｂａｌａｎｃｅ」に対応する例文（用例）として記憶されている場合に、見出語「ｂａｌａｎｃｅ」を例文「ｂａｌａｎｃｅ  ｗｏｒｋ  ｔａｋｉｎｇ  ｃａｒｅ  ｏｆ  ｈｅｒ  ｂａｂｉｅｓ」の出典見出語という。そして、ジャンプウィンドウＪ５０において、ジャンプ先の辞典として「英和辞典」がラジオボタンＭ５２で選択されている。
【０００９】
図１７（ｂ）は、見出語「ｂａｌａｎｃｅ」の説明情報を表示した画面である。ＣＰＵ１０は、ジャンプウィンドウＪ５０において、「英和辞典」が選択されると、ジャンプ元として指定された「ｂａｌａｎｃｅ」に適合する見出語を、英和辞典ＤＢから検索する。そして、英和辞典ＤＢに適合する見出語が検索された場合には、検索された見出語に対応する説明情報を表示画面Ｗ５０に表示する。
【００１０】
しかし、説明情報は、複数の語義に分かれて記憶されており、ジャンプ元として指定された出典見出語が、どの語義に対応するかユーザが逐一確認する必要があった。さらに、表示画面Ｗ５０に表示されている矢印マークＭ５４は、説明情報が更に存在することを示す表示である。従って、表示画面Ｗ５０に表示中の説明情報に対応する用例に、所望の例文が確認できない場合は、更に残りの説明情報をスクロール表示して用例を確認する必要があり、極めて不便であった。
【００１１】
本発明の目的は、例文に対応付けられた見出語の語義を適切に表示する情報表示制御装置、サーバ及びプログラムを提供することである。
【００１２】
【課題を解決するための手段】
以上の課題を解決するために、請求項１に記載の情報表示制御装置は、
見出語と、当該見出語の説明情報とを語義毎に対応付けて記憶する記憶手段（例えば、図２の英和辞典ＤＢ２０２）と、
この記憶手段に記憶された見出語を用いた例文を、当該見出語及び当該見出語の語義に対応付けて記憶する例文記憶手段（例えば、図２の英和辞典例文ＤＢ２０４）と、
入力文字を入力する入力手段（例えば、図２のＣＰＵ１０；図６のステップＡ１０）と、
この入力手段によって入力された入力文字を含む例文を前記例文記憶手段から読み出して表示する制御を行う例文表示制御手段（例えば、図２のＣＰＵ１０；図６のステップＡ１６）と、
この例文表示制御手段によって表示された例文のうち、一の例文を指定する指定手段（例えば、図２のＣＰＵ１０；図６のステップＡ２０）と、
この指定手段によって指定された例文で用いられた見出語の説明情報を前記記憶手段から読み出し、当該例文で用いられた当該見出語の説明情報の先頭部分を表示した後、当該例文で用いられた当該見出語の当該語義の説明情報の部分が所定の位置に表示されるまで当該説明情報をスクロールして表示する制御を行う語義表示制御手段（例えば、図２のＣＰＵ１０；図６のステップＡ３２及びＡ３４）と、を備えることを特徴としている。
【００１３】
また、請求項８に記載のプログラムは、
コンピュータに、
見出語と、当該見出語の説明情報とを語義毎に対応付けて記憶する記憶機能（例えば、図２の英和辞典ＤＢ２０２）と、
この記憶機能により記憶された見出語を用いた例文を、当該見出語及び当該見出語の語義に対応付けて記憶する例文記憶機能（例えば、図２の英和辞典例文ＤＢ２０４）と、
入力文字を入力する入力機能（例えば、図２のＣＰＵ１０；図６のステップＡ１０）と、
この入力機能によって入力された入力文字を含む例文を前記例文記憶機能により記憶された例文から読み出して表示する制御を行う例文表示制御機能（例えば、図２のＣＰＵ１０；図６のステップＡ１６）と、
この例文表示制御機能によって表示された例文のうち、一の例文を指定する指定機能（例えば、図２のＣＰＵ１０；図６のステップＡ２０）と、
この指定機能によって指定された例文で用いられた見出語の説明情報を前記記憶機能から読み出し、当該例文で用いられた当該見出語の説明情報の先頭部分を表示した後、当該例文で用いられた当該見出語の当該語義の説明情報の部分が所定の位置に表示されるまで当該説明情報をスクロールして表示する制御を行う語義表示制御機能（例えば、図２のＣＰＵ１０；図６のステップＡ３２及びＡ３４）と、を実現させることを特徴としている。
【００１４】
請求項１又は８に記載の発明によれば、入力文字を含む例文を表示し、その表示した例文の中から一の例文が選択される。そして、選択された例文に対応する見出語の説明情報を表示する際に、説明情報をスクロール表示することにより、当該例文で用いられた説明情報を適切に表示することが可能となる。従って、複数の説明情報の語義から、例文で用いられている語義について直接的に分かるだけではなく、スクロール表示がされることにより、他の説明情報についても概略を知ることができる。
【００１５】
請求項２に記載の発明は、見出語と、当該見出語の説明情報とを語義毎に対応付けて記憶する記憶手段（例えば、図２の英和辞典ＤＢ２０２）と、
この記憶手段に記憶された見出語を用いた例文を、当該見出語及び当該見出語の語義の位置に対応付けて記憶する例文記憶手段（例えば、図２の英和辞典例文ＤＢ２０４）と、
入力文字を入力する入力手段（例えば、図２のＣＰＵ１０；図６のステップＡ１０）と、
この入力手段によって入力された入力文字を含む例文を前記例文記憶手段から読み出して表示する制御を行う例文表示制御手段（例えば、図２のＣＰＵ１０；図６のステップＡ１６）と、
この例文表示制御手段によって表示された例文のうち、一の例文を指定する指定手段（例えば、図２のＣＰＵ１０；図６のステップＡ２０）と、
この指定手段によって指定された例文で用いられた見出語の語義の位置を前記記憶手段から読み出し、当該見出語の語義の位置の説明情報を表示する制御を行う語義位置情報表示制御手段（例えば、図２のＣＰＵ１０；図１１のステップＢ３４）と、
を備えることを特徴としている。
【００１６】
また、請求項９に記載のプログラムは、
コンピュータに、
見出語と、当該見出語の説明情報とを語義毎に対応付けて記憶する記憶機能（例えば、図２の英和辞典ＤＢ２０２）と、
この記憶機能により記憶された見出語を用いた例文を、当該見出語及び当該見出語の語義の位置に対応付けて記憶する例文記憶機能（例えば、図２の英和辞典例文ＤＢ２０４）と、
入力文字を入力する入力機能（例えば、図２のＣＰＵ１０；図６のステップＡ１０）と、
この入力機能によって入力された入力文字を含む例文を前記例文記憶機能により記憶されている例文から読み出して表示する制御を行う例文表示制御機能（例えば、図２のＣＰＵ１０；図６のステップＡ１６）と、
この例文表示制御機能によって表示された例文のうち、一の例文を指定する指定機能（例えば、図２のＣＰＵ１０；図６のステップＡ２０）と、
この指定機能によって指定された例文で用いられた見出語の語義の位置を前記記憶機能から読み出し、当該見出語の語義の位置の説明情報を表示する制御を行う語義位置情報表示制御機能（例えば、図２のＣＰＵ１０；図１１のステップＢ３４）と、を実現させることを特徴としている。
【００１７】
請求項２又は９に記載の発明によれば、入力文字を含む例文を表示し、その表示した例文の中から一の例文が選択される。そして、選択された例文に対応付けられた見出語の説明情報を表示する際に、当該例文に対応付けられた説明情報の語義の位置を直接表示することが可能となる。従って、選択された例文に適切な見出語の語義を表示する事ができる。
【００１８】
請求項３に記載の発明は、請求項１又は２に記載の情報表示制御装置において、
単語を、その単語が含まれる前記例文記憶手段に記憶された例文に対応付けて記憶する単語情報記憶手段（例えば、図２の単語例文テーブル２０６）を更に備え、
前記入力手段は、複数の単語を入力文字として入力する複数単語入力手段（例えば、図２のＣＰＵ１０；図６のステップＡ１０）を有し、
前記例文表示制御手段は、前記複数単語入力手段によって入力された各単語全てに対応付けられている例文を前記単語情報記憶手段から判別し、判別した例文を前記例文記憶手段から読み出して表示する制御を行う複数単語入力時表示制御手段（例えば、図２のＣＰＵ１０；図６のステップＡ１６）を有する、ことを特徴としている。
【００１９】
請求項３に記載の発明によれば、複数単語を入力し、複数単語が含まれる例文を表示させる事が可能となる。
【００２０】
請求項４に記載の発明は、請求項１〜３の何れか一項に記載の情報表示制御装置において、
前記例文表示制御手段は、例文と併せて当該例文に用いられた当該見出語を更に表示する（例えば、図２のＣＰＵ１０；図６のステップＡ１６）ことを特徴としている。
【００２１】
請求項４に記載の発明によれば、例文とともに、例文で用いられている見出語を表示することが可能となる。従って、例文が、どの見出語に対応付けられて記憶されているかを容易に視認することができる。
【００２２】
請求項５に記載の発明は、請求項１〜４の何れか一項に記載の情報表示制御装置において、
前記例文表示制御手段は、例文と併せて当該例文に用いられた当該見出語の当該語義を視認させるための識別子（例えば、図１５の識別マークＭ２２０）を更に表示することを特徴としている。
【００２３】
請求項５に記載の発明によれば、例文とともに、例文で用いられた見出語の語義について、識別子を表示することが可能となる。従って、ユーザは、予めどの語義に対応付けられているかを視認することが可能となる。
【００２４】
請求項６に記載の所定の通信回線を介して利用者端末と接続されるサーバは、見出語と、当該見出語の説明情報とを語義毎に対応付けて記憶する記憶手段（例えば、図１６のＲＯＭ７１０）と、
この記憶手段に記憶された見出語を用いた例文を、当該見出語及び当該見出語の語義に対応付けて記憶する例文記憶手段（例えば、図１６のＲＯＭ７１０）と、
利用者端末から入力文字を受信する入力文字受信手段（例えば、図１６の通信装置７０８）と、
この入力文字受信手段によって受信された入力文字を含む例文を前記例文記憶手段から読み出して利用者端末に送信する例文送信手段（例えば、図１６の通信装置７０８）と、
この例文送信手段によって送信された例文のうち、一の例文を指定する情報を利用者端末から受信する例文指定情報受信手段（例えば、図１６の通信装置７０８）と、
この例文指定情報受信手段によって受信された情報で指定された例文で用いられた見出語の説明情報を前記記憶手段から読み出し、当該見出語の説明情報と、当該見出語の当該語義の説明情報の部分が所定の位置に表示されるまで当該説明情報をスクロールして表示させる制御情報と、を利用者端末に送信する説明情報送信手段（例えば、図１６の通信装置７０８）と、を備えることを特徴としている。
【００２５】
また、請求項１０に記載のプログラムは、
所定の通信回線を介して利用者端末と接続されるコンピュータに、
見出語と、当該見出語の説明情報とを語義毎に対応付けて記憶する記憶機能（例えば、図１６のＲＯＭ７１０）と、
この記憶機能に記憶された見出語を用いた例文を、当該見出語及び当該見出語の語義に対応付けて記憶する例文記憶機能（例えば、図１６のＲＯＭ７１０）と、
利用者端末から入力文字を受信する入力文字受信機能（例えば、図１６の通信装置７０８）と、
この入力文字受信機能によって受信された入力文字を含む例文を前記例文記憶機能により記憶された例文から読み出して利用者端末に送信する例文送信機能（例えば、図１６の通信装置７０８）と、
この例文送信機能によって送信された例文のうち、一の例文を指定する情報を利用者端末から受信する例文指定情報受信機能（例えば、図１６の通信装置７０８）と、
この例文指定情報受信機能によって受信された情報で指定された例文で用いられた見出語の説明情報を前記記憶機能により記憶された見出語から読み出し、当該見出語の説明情報と、当該見出語の当該語義の説明情報の部分が所定の位置に表示されるまで当該説明情報をスクロールして表示させる制御情報と、を利用者端末に送信する説明情報送信機能（例えば、図１６の通信装置７０８）と、を実現させることを特徴としている。
【００２６】
請求項６又は１０に記載の発明によれば、利用者端末から入力文字を受信し、受信された入力文字を含む例文を送信する。そして、送信した例文の中から一の例文を指定する情報を受信し、指定された例文に対応付けられた見出語と、当該見出語の説明情報を読み出して送信するとともに、送信された説明情報が例文に対応付けられた語義の部分が適切に表示されるまで、スクロール表示させる制御信号を送信することができる。従って、利用者端末において、例文で利用されている見出語の語義の説明情報を表示させる場合に、自分でスクロール動作をする必要が無く、自動的に表示させることが出来る。
【００２７】
請求項７に記載の所定の通信回線を介して利用者端末と接続されるサーバは、見出語と、当該見出語の説明情報とを語義毎に対応付けて記憶する記憶手段（例えば、図１６のＲＯＭ７１０）と、
この記憶手段に記憶された見出語を用いた例文を、当該見出語及び当該見出語の語義の位置に対応付けて記憶する例文記憶手段（例えば、図１６のＲＯＭ７１０）と、
利用者端末から入力文字を受信する入力文字受信手段（例えば、図１６の通信装置７０８）と、
この入力文字受信手段によって受信された入力文字を含む例文を前記例文記憶手段から読み出して利用者端末に送信する例文送信手段（例えば、図１６の通信装置７０８）と、
この例文送信手段によって送信された例文のうち、一の例文を指定する情報を利用者端末から受信する例文指定情報受信手段（例えば、図１６の通信装置７０８）と、
この例文指定情報受信手段によって受信された情報で指定された例文で用いられた見出語の語義の位置を前記記憶手段から読み出し、当該見出語の説明情報と、当該見出語の語義の位置の説明情報を表示させる制御情報と、を利用者端末に送信する語義位置情報送信手段（例えば、図１６の通信装置７０８）と、を備えることを特徴としている。
【００２８】
また、請求項１１に記載のプログラムは、
所定の通信回線を介して利用者端末と接続されるコンピュータに、
見出語と、当該見出語の説明情報とを語義毎に対応付けて記憶する記憶機能（例えば、図１６のＲＯＭ７１０）と、
この記憶機能に記憶された見出語を用いた例文を、当該見出語及び当該見出語の語義の位置に対応付けて記憶する例文記憶機能（例えば、図１６のＲＯＭ７１０）と、
利用者端末から入力文字を受信する入力文字受信機能（例えば、図１６の通信装置７０８）と、
この入力文字受信機能によって受信された入力文字を含む例文を前記例文記憶機能により記憶された例文から読み出して利用者端末に送信する例文送信機能（例えば、図１６の通信装置７０８）と、
この例文送信機能によって送信された例文のうち、一の例文を指定する情報を利用者端末から受信する例文指定情報受信機能（例えば、図１６の通信装置７０８）と、
この例文指定情報受信機能によって受信された情報で指定された例文で用いられた見出語の語義の位置を前記記憶機能により記憶された見出語から読み出し、当該見出語の説明情報（例えば、図１６の通信装置７０８）と、当該見出語の語義の位置の説明情報を表示させる制御情報と、を利用者端末に送信する語義位置情報送信機能（例えば、図１６の通信装置７０８）と、を実現させることを特徴としている。
【００２９】
請求項７又は１１に記載の発明によれば、利用者端末から入力文字を受信し、受信された入力文字を含む例文を送信する。そして、送信した例文の中から一の例文を指定する情報を受信し、指定された例文に対応付けられた見出語と、当該見出語の説明情報を読み出して送信するとともに、送信された説明情報が例文に対応付けられた語義の説明情報を直接表示させる制御信号を送信することができる。従って、利用者端末において、適切な説明情報を直接的に表示させることが可能となる。
【００３０】
【発明の実施の形態】
以下、本発明を情報表示制御装置の一種である電子辞書に適用した場合の実施の形態について図を参照して詳細に説明する。但し、本発明が適用可能なものはこれに限定されるものではない。
【００３１】
〔第１の実施の形態〕
電子辞書には、国語辞典、英和辞典、和英辞典、類義語辞典、ことわざ辞典等の各種電子辞書データベース（辞書ＤＢ）が内蔵されている。この辞書ＤＢには、見出語に対応付けて、当該見出語を説明するための文字データや、画像データ、動画データ、音声データ等が記憶される。ユーザは、辞書種別を選択して入力文字を入力することにより、当該入力文字に対応する見出語の説明情報等を表示させることができる。尚、以下では、電子辞書に、英和辞典の辞書ＤＢが内蔵されている場合を例にとって説明する。
【００３２】
図１は、電子辞書１の概観図の一例である。同図に示すように、電子辞書１は、ディスプレイ３と、各種キー群５とを備えて構成されている。
【００３３】
ディスプレイ３は、上述した各種キーの押下に応じた文字や符号等、電子辞書１を使用するために必要な各種データが表示される部分である。ディスプレイ３は、ＬＣＤ（Ｌｉｑｕｉｄ  Ｃｒｙｓｔａｌ  Ｄｉｓｐｌａｙ）等の素子であって、単数または複数の素子の組み合わせによって実現される。
【００３４】
各種キー群５を構成するキーにはそれぞれ固有の機能が割り当てられており、ユーザはこれらのキーを押下して電子辞書１を操作する。具体的には、文字入力キー、辞書種別の選択キー、指定した単語の用例表示キー等を備える。
【００３５】
また、各種キー群５は決定キー７と、方向キー９と、ジャンプキー１１と、を備える。方向キー９は、例えば上下左右を示す４つのキーによって構成される。ジャンプキー１１が押下されると、ジャンプモードが実行される。ジャンプモードとは、ジャンプ処理を実行するための動作であり、まず、表示中の単語のうち、先頭に表示されている単語が反転表示される。更に方向キー９が押下されると、押下された方向キー９に従って、別の単語が反転表示される。そして、決定キー７が押下されることにより、反転表示されている単語が選択される。
【００３６】
また、方向キー９は、各種設定画面等において設定項目を選択する際や、画面をスクロール表示させる際等に使用される。決定キー７は、各種モードを実行する際や、各種設定画面等において設定項目を決定する際等に使用される。
【００３７】
図２は、電子辞書１の構成を示すブロック図である。同図に示すように、電子辞書１は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）２０と、ＲＡＭ（Ｒａｎｄｏｍ  Ａｃｃｅｓｓ  Ｍｅｍｏｒｙ）３０と、入力部４０と、表示部５０と、バス６０と、を備えている。
【００３８】
ＲＯＭ２０は、各種初期設定、ハードウェアの検査、あるいは必要なプログラムのロード等を行うための初期プログラムを格納する。ＣＰＵ１０は、電子辞書１の電源投入時においてこの初期プログラムを実行することにより、電子辞書１の動作環境を設定する。
【００３９】
また、ＲＯＭ２０は、メニュー表示処理、各種設定処理、各種検索処理等の電子辞書１の動作に係る各種プログラムや、電子辞書１の備える種々の機能を実現するためのプログラム等を格納すると共に、英和辞典ＤＢ２０２と、英和辞典例文ＤＢ２０４と、単語例文テーブル２０６と、を格納する。さらに、プログラムとして、第１語義表示プログラム２０８を格納する。
【００４０】
英和辞典ＤＢ２０２は、辞書ＤＢの「英和辞典」のコンテンツを格納したＤＢである。ＣＰＵ１０は、例文が選択されて、用例出典ジャンプが選択されると、例文に対応する出典見出語を読み出し、出典見出語に適合する見出語を英和辞典ＤＢ２０２の中から読み出す。
【００４１】
図３は、英和辞典ＤＢ２０２のデータ構成の一例を示した図である。英和辞典ＤＢ２０２は、見出語（例えば「ａｂｏｖｅ」）と、見出語が記憶されている見出語アドレス（例えば「１２００」）と、当該見出語の説明情報と、を対応づけて記憶している。さらに、説明情報は語義毎に記憶されており、語義が記憶されている語義アドレス（「１２０１」）と、語義を識別するための語義識別子（例えば「前１」）と、説明情報（「（表面から離れて）…の上に…」）と、語義に対応付けられた例文番号（「１２，２３，２８，…」）と、を対応付けて記憶している。ここで、語義識別子とは、語義の説明情報を対応する見出語の中において一意に識別するためのものであり、品詞を表す識別子（例えば、前置詞を表す「前」や、副詞を表す「副」等。）と、その語義番号から構成されている。例えば、「ａｂｏｖｅ」において、語義識別子が「前１」とは、品詞が前置詞として用いられた場合の、１番目の語義を表している。また、見出語アドレス及び語義アドレスは、英和辞典ＤＢにおいて、見出語、及び語義の説明情報が記憶されている記憶位置であり、例えばメモリアドレス値、ディスク装置のトラック・セクタ番号、データベースにおけるキー値、データを格納するためのハッシュ値等を示している。本実施の形態においては、アドレスの下位２桁が語義毎のアドレスを示しており、下位２桁以外の上位桁が見出語全体のアドレスを示している。例えば、見出語「ａｂｏｖｅ」の場合、上位桁の「１２」が見出語「ａｂｏｖｅ」全体のアドレスを示している。従って、アドレス「１２００」は見出語「ａｂｏｖｅ」を示している。更に下位２桁で、語義毎のアドレスを示しており、上から「１２０１」、「１２０２」、…と記憶されている。なお、アドレスの形式は、本実施の形態に限られるわけではなく、例えば、他の桁数でもよく、またアルファベットの組み合わせ等で表されてもよい。
【００４２】
英和辞典例文ＤＢ２０４は、英和辞典ＤＢ２０２に対応するＤＢである。図４は、英和辞典例文ＤＢ２０４のデータ構成の一例を示した図である。英和辞典例文ＤＢ２０４は、例文番号（例えば「４８」）と、例文（「Ｔｈｅ  ｌｅｃｔｕｒｅ  ｗａｓ  ａｂｏｖｅ  ｍｅ  ［ｍｙ  ｈｅａｄ］．    講義は難しくて私には理解できなかった」）と、出典見出語（「ａｂｏｖｅ」）と、語義識別子（「前５」）と、見出語の語義の説明情報が記憶されている語義アドレス（「１２０５」）とを対応付けて記憶している。ここで、出典見出語及び語義識別子は、当該例文が、英和辞典ＤＢ２０２のどの見出語に対応する例文かを表しているものである。
【００４３】
単語例文テーブル２０６は、例文で使われている単語（以下、適宜「例文単語」と表す。）を記憶しているテーブルであり、例文単語が使われている例文番号を、例文単語毎に記憶しているテーブルである。なお、例文単語が使われている例文番号は、全ての例文が含まれることとしてもよいし、主な例文における例文番号としてもよい。
【００４４】
図５（ａ）は、単語例文テーブル２０６のデータ構成の一例を示した図である。図５（ａ）において、単語例文テーブル２０６には、例えば単語「ｃａｒｅ」と、単語が使われている例文番号「…，６２，１０３，１４２，１４３，１５４，…」とが対応付けて記憶されている。
【００４５】
ＲＡＭ３０は、ＣＰＵ１０が実行する各種プログラムや、これらのプログラムの実行に係るデータ等を一時的に保持するメモリ領域を備える。本実施の形態では、入力文字格納領域３０２と、例文番号格納領域３０４と、を備えている。
【００４６】
入力文字格納領域３０２は、ユーザから入力された文字を、入力文字として記憶している領域である。例えば、入力部４０からユーザにより「ｃａｒｅ」と入力された場合、ＣＰＵ１０は、入力文字格納領域３０２に「ｃａｒｅ」を記憶する。また、複数の単語を記憶する場合は、複数の単語を「＆」で結合して記憶する。たとえば、「ｃａｒｅ＆ｏｆ」と入力された場合に、ＣＰＵ１０は、入力文字格納領域３０２に「ｃａｒｅ＆ｏｆ」と記憶する。この場合、入力された単語（以下、適宜「入力単語」という。）は、「ｃａｒｅ」と「ｏｆ」の２語となる。なお、入力単語の区切りを示す文字は「＆」には限られず、例えば「＋」や空白であっても良い。
【００４７】
例文番号格納領域３０４は、第１語義表示処理において、入力単語が含まれる例文番号を記憶する領域である。ＣＰＵ１０は、例文番号格納領域３０４に記憶された例文番号に基づいて、表示部５０に例文を表示する。
【００４８】
ＣＰＵ１０は、入力される指示に応じて所定のプログラムに基づいた処理を実行し、各機能部への指示やデータの転送を行う。具体的には、ＣＰＵ１０は、入力部４０から入力される操作信号に応じてＲＯＭ２０に格納されたプログラムを読み出し、当該プログラムに従って処理を実行する。そして、ＣＰＵ１０は、処理結果を表示するための表示制御信号を適宜表示部５０に出力して、対応した表示情報を表示する。
【００４９】
また、ＣＰＵ１０は、本実施の形態において、ＲＯＭ２０の第１語義表示プログラム２０８に従った、第１語義表示処理（図６参照）を実行する。具体的には、ＣＰＵ１０は、ユーザにより入力された入力単語を全て含んだ例文を、英和辞典例文ＤＢ２０４から抽出し一覧表示する。そして、一覧表示された例文から一の例文が選択され、用例出典ジャンプが選択されると、選択された例文に対応する出典見出語に対応する説明情報を表示し、選択された例文の語義識別子に対応する説明情報を所定の位置に表示するために、スクロール表示を実行する。
【００５０】
入力部４０は、仮名やアルファベット等の文字入力や機能選択等に必要なキー群を備えた入力装置であり、押下されたキーの信号をＣＰＵ１０に出力する。この入力部４０におけるキー入力により、検索語の入力、辞書モードの選択、検索実行指示、ジャンプ機能の開始等の入力手段を実現する。なお、この入力部４０は、キー群５に限られるわけではなく、タッチパネル等であってもよい。
【００５１】
表示部５０は、ＣＰＵ１０から入力される表示信号に基づいて各種画面を表示するものであり、ＬＣＤ（Ｌｉｑｕｉｄ  Ｃｒｙｓｔａｌ  Ｄｉｓｐｌａｙ）等により構成される。なお、この表示部５０は、図１に示すディスプレイ３に相当する。
【００５２】
バス６０は、ＣＰＵ１０からのデータ等の電気信号を通す線路であり、ＣＰＵ１０と、ＲＯＭ２０と、ＲＡＭ３０と、入力部４０と、表示部５０とをそれぞれ接続する信号線である。
【００５３】
次に、第１の実施の形態における電子辞書１の動作を図を参照して説明する。図６は、第１語義表示処理に係る電子辞書１の動作を説明するためのフローチャートである。この第１語義表示処理は、ＣＰＵ１０がＲＯＭ２０の第１語義表示プログラム２０８を実行することによって実現される処理である。
【００５４】
まず、ＣＰＵ１０は、第１語義表示処理を実行すると、文字入力がなされるまで待機する（ステップＡ１０；Ｎｏ）。文字が入力されると（ステップＡ１０；Ｙｅｓ）、ＣＰＵ１０は、当該入力文字を入力文字格納領域３０２に記憶する（ステップＡ１２）。尚、上述した通り、複数の入力単語からなる入力文字が入力される場合には、単語を「＆」で結合した入力文字が入力される。
【００５５】
例えば、入力文字として「ｃａｒｅ＆ｏｆ」が入力された場合、ＣＰＵ１０は、入力文字格納領域３０２に「ｃａｒｅ＆ｏｆ」を記憶する。
【００５６】
次に、ＣＰＵ１０は、入力文字格納領域３０２に記憶された、全ての入力単語を含む例文の例文番号を、単語例文テーブル２０６から抽出する（ステップＡ１４）。具体的には、入力文字格納領域３０２に記憶された入力単語に対応付けられた例文番号を単語例文テーブル２０６からそれぞれ読み出す。そして、入力単語に対応付けられた例文番号のうち、共通する例文番号のみを抽出し、例文番号格納領域３０４に記憶する。
【００５７】
例えば、入力文字格納領域３０２に「ｃａｒｅ＆ｏｆ」が記憶されている場合、ＣＰＵ１０は、まず、単語例文テーブル２０６を参照し、入力単語「ｃａｒｅ」に対応する例文番号を、例文番号格納領域３０４に記憶する。このときの、例文番号格納領域３０４の記憶状態の一例を示した図が図５（ｂ）の（１）である。図５（ｂ）の（１）は、ＣＰＵ１０が、単語例文テーブル２０６から、入力単語「ｃａｒｅ」に対応する例文番号「６２、１０３、１４２、１４３、１５４」を読み出し、例文番号格納領域３０４に記憶した状態を示した一例である。次に、ＣＰＵ１０は、入力単語「ｏｆ」に対応する例文番号「１０３、１３２、１４２、１４３、１４６」を単語例文テーブル２０６から読み出す。そして、例文番号格納領域３０４に記憶されている例文番号のうち、「ｏｆ」に対応する例文番号に記憶されていない例文番号を、例文番号格納領域３０４から削除する。従って、例文番号「６２、１５４」が削除される。このときの例文番号格納領域３０４に記憶された状態を示した一例が、図５（ｂ）の（２）である。
【００５８】
そして、ＣＰＵ１０は、例文番号格納領域３０４に記憶されている例文番号に基づいて、例文と、出典見出語とを表示部５０に一覧表示する（ステップＡ１６）。
【００５９】
例えば、ＣＰＵ１０は、例文番号格納領域３０４に記憶されている例文番号「１０３」に対応する出典見出語「ｂａｌａｎｃｅ」と、例文「ｂａｌａｎｃｅ  ｗｏｒｋ  ａｎｄ  ｔａｋｉｎｇ  ｃａｒｅ  ｏｆ  ｈｅｒ  ｂａｂｉｅｓ  仕事と育児を両立させる」とを読みだし、表示部５０に表示する。
【００６０】
次に、ジャンプキー１１が押下されると（ステップＡ１８；Ｙｅｓ）、ＣＰＵ１０は、ジャンプモードを実行する。そして、例文が選択されると（ステップＡ２０；Ｙｅｓ）、ＣＰＵ１０は、ジャンプウィンドウを表示する（ステップＡ２２）。ここで、本実施の形態において、例文が選択されるとは、ステップＡ１６において表示された出典見出語をジャンプ元として選択された場合とするが、これに限られるわけではなく、例えば例文中の単語が指定される場合や、識別子が選択された場合であってもよい。
【００６１】
例えば、例文番号１０３に対応する出典見出語「ｂａｌａｎｃｅ」が選択された場合、ＣＰＵ１０は、例文番号１０３に対応する例文が選択されたものとして、記憶する。
【００６２】
次に、ジャンプウィンドウで表示された中から、用例出典ジャンプが選択されると（ステップＡ２４；Ｙｅｓ）、ＣＰＵ１０は、英和辞典例文ＤＢ２０４から選択された例文に対応する出典見出語と、語義識別子とを読み出す（ステップＡ２６）。
【００６３】
例えば、例文番号１０３に対する例文が選択された場合、ＣＰＵ１０は、例文テーブル２０４から、出典見出語「ｂａｌａｎｃｅ」と、語義識別子「動１」を読み出す。
【００６４】
次に、ＣＰＵ１０は、英和辞典ＤＢ２０２から、出典見出語に適合する見出語の説明情報を読み出す（ステップＡ２８）。具体的には、英和辞典例文ＤＢ２０４から読み出した出典見出語に適合する見出語を、英和辞典ＤＢ２０２から読み出す。そして、ＣＰＵ１０は、読み出された見出語に対応する説明情報を英和辞典ＤＢ２０２から読み出す。
【００６５】
例えば、ＣＰＵ１０は、例文番号１０３に対応する出典見出語「ｂａｌａｎｃｅ」に対応する見出語を、英和辞典ＤＢ２０２から読み出し、見出語に対応する説明情報を読み出す。
【００６６】
そして、ＣＰＵ１０は、読み出した見出語を表示し、見出語に対応する説明情報の先頭部分より、表示部５０に表示する（ステップＡ３０）。ここで、英和辞典例文ＤＢ２０４から読み出した語義識別子に対応する説明情報が、表示部５０の所定の位置に表示されていない場合（ステップＡ３２；Ｎｏ）、ＣＰＵ１０は、表示されている説明情報をスクロール表示する（ステップＡ３４）。そして、英和辞典例文ＤＢ２０４から読み出した語義識別子に対応する説明情報が所定の位置に表示されると（ステップＡ３２；Ｙｅｓ）、ＣＰＵ１０は、第１語義表示を終了する。ここで、所定の位置とは、本実施の形態においては、説明情報が表示される領域の最初の行の部分をさすが、これに限られる訳ではなく、例えば、識別子に対応する説明情報が、表示部５０に全部表示された状態である場合や、最後の行に表示された場合や、中央に表示される場合等であってもよい。さらに、表示部の最初の行においては、常に見出語を表示し、その下の行から説明情報をスクロール表示させるようにしてもよい。
【００６７】
例えば、ＣＰＵ１０は、例文番号１０３に基づいてジャンプ処理を実行した場合、出典見出語「ｂａｌａｎｃｅ」と、説明情報「（表面から離れて）…の上に…」と読み出し、表示部５０に表示する。しかし、このときに、ジャンプ元に対応付けられた語義識別子は「動１」であり、現在表示されている説明情報が対応付けている語義識別子「名１」とは異なる。従って、語義識別子「動１」に対応する説明情報「［ＳＶＯ（Ｍ）］  ＜人・物・事が＞＜物・事＞を〔…と〕…」が最初の行に表示されるまで、ＣＰＵ１０は、説明情報をスクロール表示する。
【００６８】
次に、図を参照し、第１語義表示処理の操作例について説明する。図７（ａ）は、入力文字として「ｃａｒｅ＆ｏｆ」が入力されたことを表示画面Ｗ１００に表示された画面の一例である。表示画面の文字入力領域Ｒ１００に、入力文字として「ｃａｒｅ＆ｏｆ」が入力されると、ＣＰＵ１０は、入力文字「ｃａｒｅ＆ｏｆ」を入力文字格納領域３０２に記憶する（図６のステップＡ１２）。
【００６９】
図７（ｂ）は、例文と出典見出語とが一覧表示された表示画面Ｗ１００の一例を示した図である。ＣＰＵ１０は、入力文字格納領域３０２に記憶された入力単語に共通する例文番号を抽出し、抽出された例文番号に対応する出典見出語と、例文とを英和辞典例文ＤＢ２０４から読み出す。そして、読み出された出典見出語と、例文とを、例文表示Ｒ１０２として表示画面Ｗ１００に表示する（図６のステップＡ１６）。
【００７０】
また、反転表示Ｍ１００は、出典見出語「ｂａｌａｎｃｅ」が選択されたことを示す表示である。ＣＰＵ１０は、ジャンプキー１１が押下されると（図６のステップＡ１８；Ｙｅｓ）、ジャンプモードに切り替わる。ここで、ユーザにより方向キー９が押下されることにより単語の反転表示が移動し、決定キー７が押下される事により反転表示されていた単語が選択される。ここで、ＣＰＵ１０は、出典見出語が選択されると、出典見出語と共に例文表示Ｒ１０２に表示されている例文が選択される（図６のステップＡ２０）。
【００７１】
図８（ａ）は、図７（ｂ）の表示画面Ｗ１００において、決定キー７が押下された表示画面Ｗ１００の一例を示す図である。決定キー７が押下されると、ＣＰＵ１０は表示画面Ｗ１００に、ジャンプウィンドウＪ１００を表示する（図６のステップＡ２２）。ジャンプウィンドウＪ１００には、再検索を行う辞書ＤＢや、処理が表示されており、ラジオボタンによって選択することにより、再検索を行う辞書ＤＢや、処理が選択できる。図８（ａ）においては、「用例出典ジャンプ」がラジオボタンＭ１０２によって選択されている。
【００７２】
図８（ｂ）は、出典見出語の説明情報が表示された表示画面Ｗ１００の一例を示した図である。図８（ａ）において、「用例出典ジャンプ」が選択されると（図６のステップＡ２４；Ｙｅｓ）、ＣＰＵ１０は、選択された例文に対応する出典見出語と、語義識別情報を、英和辞典例文ＤＢ２０４から読み出す（図６のステップＡ２６）。そして、その出典見出語に対応する見出語の説明情報を、英和辞典ＤＢ２０２から読み出す（図６のステップＡ２８）。そして、ＣＰＵ１０は、見出語と、見出語に対応する説明情報とを、表示画面Ｗ１００に表示する（図６のステップＡ３０）。ここで、図８（ｂ）においては、説明情報Ｓ１００全てを表示画面Ｗ１００に表示することが出来ず、表示画面Ｗ１００に表示することが可能な領域Ｒ１０４に該当する分だけ表示されている。
【００７３】
図９は、説明情報Ｓ１００が、上方向にスクロール表示され、選択された例文に対応する見出語の語義の説明情報が最初の行に表示されている画面である。ＣＰＵ１０は、図８（ｂ）において表示した説明情報には、選択された例文に対応する見出語の語義の説明情報が表示されていないため、説明情報をスクロール表示し（図６のステップＡ３４）、選択された例文に対応する見出語の語義の説明情報が最初の行に表示されるまでスクロールして表示している（領域Ｒ１０６）。なお、スクロール表示は、１行ずつ表示させる場合だけではなく、複数行ずつ表示させる場合や、語義毎に表示する場合等であってもよい。また、スクロール表示するタイミングは、設定により遅くしたり、早くしたりするようにしてもよい。
【００７４】
図１０（ａ）は、図９において表示された説明情報の中に表示された用例マークＭ１０４に基づいて、見出語「ｂａｌａｎｃｅ」、語義識別子「動１」に対応付けられた例文を、英和辞典例文ＤＢ２０４から読み出し、表示した表示画面Ｗ１００を示す一例である。具体的には、ＣＰＵ１０は、用例マークＭ１０４が選択されると、英和辞典ＤＢ２０２から、選択された見出語の語義に対応付けられた例文番号を読み出す。そして、読み出された例文番号に対応する例文を、英和辞典例文ＤＢ２０４から読み出し、表示画面Ｗ１００に表示する。これにより、入力画面に戻って出典見出語に対応する入力文字を再度入力して検索を行わなくてもよく、出典見出語に対応する例文を表示させることができる。
【００７５】
このように、第１の実施の形態によれば、例文を選択し、その例文で使われている出典見出語は、どの語義において用いられているかを、容易に把握することが出来る。さらに、説明情報を自動的にスクロール表示して、対応する語義情報を表示させることにより、出典見出語の説明情報を、概略的に確認しつつ、対応する語義の説明情報を把握する事が可能となる。
【００７６】
〔第２の実施の形態〕
次に、本発明を適用した第２の実施の形態について説明する。本実施の形態は、表示された例文と、出典見出語との中から一の出典見出語を選択し、その出典見出語の語義を直接表示させることが出来るというものである。
【００７７】
なお、第２の実施の形態における電子辞書の構成は、第１の実施の形態において図２に示して説明した電子辞書１の構成において、ＲＯＭ２０を図１０（ｂ）に示すＲＯＭ２２に置き換えた構成と同様であり、以下、同一の構成要素には同一の符号を付してその説明を省略する。
【００７８】
図１０（ｂ）を参照して、ＲＯＭ２２の構成について説明する。図１０（ｂ）に示すように、ＲＯＭ２２は、英和辞典ＤＢ２０２と、英和辞典例文ＤＢ２０４と、単語例文テーブル２０６と、第２語義表示プログラム２２０とを記憶している。
【００７９】
第２語義表示プログラム２２０は、本実施の形態における第２語義表示処理を実現するためのプログラムであり、ＣＰＵ１０がこの第２語義表示プログラム２２０を実行することで、第２語義表示処理が実現される。ＣＰＵ１０は、ユーザにより入力された入力単語を全て含んだ例文を、英和辞典例文ＤＢ２０４から抽出し一覧表示する。そして、一覧表示された例文から一の例文が選択され、用例ジャンプが選択されると、ＣＰＵ１０は、選択された例文に対応する見出語の語義に対応する説明情報をアドレスを参照して所定の位置に直接表示する。
【００８０】
次に、第２の実施の形態における電子辞書１の動作について図を参照して説明する。
【００８１】
図１１は、第２語義表示処理に係る電子辞書１の動作を説明するためのフローチャートである。この第２語義表示処理は、ＣＰＵ１０がＲＯＭ２２の第２語義表示プログラム２２０を実行することによって実現される処理である。
【００８２】
ユーザから入力文字が入力されると、ＣＰＵ１０は、入力文字に含まれる入力単語を全て含む例文を抽出し、例文番号格納領域３０４に記憶する。そして、ＣＰＵ１０は、例文番号格納領域３０４に記憶された例文番号に基づいて、英和辞典例文ＤＢ２０４から、出典見出語と、例文とを読み出し、例文を一覧表示する。そして、一覧表示された例文から一の例文が選択されると、ＣＰＵ１０は、ジャンプウィンドウを表示部５０に表示する（ステップＡ１０〜Ａ２２）。
【００８３】
次に、表示されたジャンプウィンドウから、用例出典ジャンプが選択されると（ステップＡ２４；Ｙｅｓ）、ＣＰＵ１０は、選択された例文に対応する語義アドレスを、英和辞典例文ＤＢ２０４から読み出す（ステップＢ３０）。
【００８４】
そして、ＣＰＵ１０は、読み出された語義アドレスを参照して、英和辞典ＤＢ２０２から説明情報を読み出す（ステップＢ３２）。また、ＣＰＵ１０は、表示部５０の所定の位置に、語義アドレスに対応する説明情報を直接表示する（ステップＢ３４）。
【００８５】
例えば、例文番号「４９」に対応する例文が選択されているとすると、ＣＰＵ１０は、例文番号「４９」に対応する語義アドレス「１２０５」を英和辞典例文ＤＢ２０４から読み出す。ここで、語義アドレスは、上位桁が見出語アドレスを示している。そこで、ＣＰＵ１０は、見出語アドレス「１２００」に対応する見出語「ａｂｏｖｅ」の説明情報を読み出す。また、現在例文に対応付けられた語義アドレスは「１２０５」であることから、ＣＰＵ１０は、語義アドレス「１２０５」に対応した説明情報「（物・事が）＜人の理解などを＞超えている…」を所定の位置に表示する。
【００８６】
次に、図を参照して、第２語義表示処理の操作例について説明する。図１２（ａ）は、入力文字として「ｇｅｔ＆ｔｏ」が入力された表示画面Ｗ２００の一例を示したものである。表示画面Ｗ２００の文字入力領域Ｒ２００に、入力文字として「ｇｅｔ＆ｔｏ」が入力されると、ＣＰＵ１０は、入力文字「ｇｅｔ＆ｔｏ」を入力文字格納領域３０２に記憶する（図１１のステップＡ１２）。
【００８７】
図１２（ｂ）は、例文と出典見出語とが一覧表示された表示画面Ｗ２００の一例を示した図である。ＣＰＵ１０は、入力文字格納領域３０２に記憶された入力単語に共通する例文番号を抽出し、抽出された例文番号に対応する出典見出語と、例文とを英和辞典例文ＤＢ２０４から読み出し、表示画面Ｗ２００に表示する（図１１のステップＡ１６）。
【００８８】
また、反転表示Ｍ２００は、出典見出語「ａｂｏｖｅ」が選択されたことを示す反転表示である。ここで、ＣＰＵ１０は、出典見出語「ａｂｏｖｅ」が選択されると、出典見出語と共に例文番号「４９」の例文が選択される（図１１のステップＡ２０）。
【００８９】
図１３（ａ）は、図１２（ｂ）の表示画面Ｗ２００において、決定キー７が押下された表示画面Ｗ２００の一例を示す図である。決定キー７が押下されると、ＣＰＵ１０は、表示画面Ｗ２００にジャンプウィンドウＪ２００を表示する（図１１のステップＡ２２）。ここで、図１３（ａ）においては、「用例出典ジャンプ」がラジオボタンＭ２０２によって選択されている。
【００９０】
図１３（ｂ）は、出典見出語の説明情報が表示された表示画面Ｗ２００の一例を示した図である。図８（ａ）において、「用例出典ジャンプ」が選択されると（図１１のステップＡ２４；Ｙｅｓ）、ＣＰＵ１０は、選択された例文に対応する語義アドレス「１２０５」を、英和辞典例文ＤＢ２０４から読み出す（図１１のステップＢ３０）。そして、その語義アドレス「１２０５」に対応する説明情報の見出語アドレス「１２００」に基づき、ＣＰＵ１０は、英和辞典ＤＢ２０２から説明情報を読み出す（図１１のステップＢ３２）。そして、ＣＰＵ１０は、語義アドレス「１２０５」に対応する説明情報を表示画面Ｗ２００の所定の位置に表示する。
【００９１】
図１４は、図１３（ｂ）において表示された説明情報の中に表示された用例マークＭ２０４に基づいて、見出語「ａｂｏｖｅ」、語義識別子「前５」に対応付けられた例文を、英和辞典例文ＤＢ２０４から読み出し、表示した表示画面Ｗ２００を示す一例である。これにより、入力画面に戻って出典見出語に対応する入力文字を再度入力して検索を行わなくてもよく、出典見出語に対応する例文を表示させることができる。
【００９２】
このように、第２の実施の形態によれば、例文を選択し、その例文で使われている出典見出語は、どの語義において用いられているかを、直接表示させる事が可能となる。
【００９３】
（第１変形例）
上述した第２の実施の形態において、出典見出語と、例文とを一覧表示し、その中の出典見出語が選択されて、ジャンプ処理を実行する場合を詳細に説明したが、ここで、例文一覧表示において、直接語義識別子を表示させることも有効である。以下、図を参照して説明する。
【００９４】
図１５（ａ）は、図１１のステップＡ１６において、出典見出語と、例文とを表示し、更に語義識別子Ｍ２２０、Ｍ２２２を表示させた表示画面２２０の一例を示す図である。
【００９５】
ＣＰＵ１０は、選択された例文番号に対応する語義識別子を、英和例文ＤＢ２０４から読み出し、対応する識別子を表示画面Ｗ２２０に表示する。次に、図１１１のステップＡ２０において、例文を選択されるときに、出典見出語に変えて、語義識別子が選択されることにより、例文が選択される。
【００９６】
図１５（ｂ）は、図１５（ａ）において、語義識別子Ｍ２２０が選択され、対応する説明情報が表示された表示画面Ｗ２２０の一例を示す図である。
【００９７】
このように、例文を一覧表示する際に、語義識別子を表示し、表示された語義識別子を直接選択することで、例文を選択することが可能となる。従って、ユーザはジャンプ先の語義の位置について予め把握することが可能となる。
【００９８】
（第２変形例）
さらに、上述した第２の実施の形態において、ステップＢ３０〜ステップＢ３４において、見出語アドレスに基づいて、説明情報を英和辞典ＤＢ２０２から読み出し、対応する語義の説明情報を語義アドレスを利用して表示させることとしたが、直接語義の説明情報を読み出すこととしても良い。
【００９９】
具体的には、ＣＰＵ１０は、選択された例文番号（例えば「４９」）に対応付けられている語義アドレス（例えば「１２０５」）を、英和辞典例文ＤＢ２０４から読み出す。そして、ＣＰＵ１０は、読み出した語義アドレス（例えば「１２０５」）の部分から、見出語「ａｂｏｖｅ」の説明情報の終わりまでを読み出し、読み出した説明情報を表示部５０に表示することができる。
【０１００】
さらに、対応する語義の説明情報だけを読み出して、表示することとしても良い。例えば、ＣＰＵ１０は、語義アドレス「１２０５」に対応する説明情報「（物・事が）＜人の理解などを…」の部分を読み出し、表示部５０に表示する。
【０１０１】
このように、直接語義アドレスを参照して読み出す場合や、選択された例文の語義の説明情報だけを読み出すことにより、読み出す情報量を減らすことが可能となる。従って、より高速に説明情報を表示させることが可能となる。
【０１０２】
〔本発明の情報表示制御装置を適用可能な装置の変形例〕
上述した実施の形態では、電子辞典、電子事典などを含む電子辞書を適用例として説明したが、本発明の情報表示制御装置は、このような製品に限定されるものではなく、携帯電話、パソコン、電子時計、ＰＤＡ（Ｐｅｒｓｏｎａｌ  Ｄｉｇｉｔａｌ  Ａｓｓｉｓｔａｎｔｓ）などの電子機器全般に適用可能である。
【０１０３】
上述した実施の形態では電子辞書１を、単体で動作する所謂スタンドアローン型の装置として説明した。しかし、本発明が適用可能な装置はこれに限られるものではない。通信装置を内蔵或いは接続可能に構成し、サーバと通信することによって本発明に係る装置を実現することも可能である。図面を参照して具体的に説明する。
【０１０４】
図１６は、通信装置を内蔵した電子辞書端末６００と、サーバ７００とが通信回線Ｎを介して通信可能に接続されたシステム構成の概略例を示す図である。サーバ７００は、例えば汎用のワークステーションやサーバ用コンピュータ等によって構成されるものであり、電子辞書端末６００は、携帯電話機や、通信装置を内蔵したパソコン、通信装置を内蔵した電子辞書等により構成されるものである。通信回線Ｎは、有線／無線の電話網やインターネット網等である。
【０１０５】
一方、電子辞書１の入力部４０及び表示部５０はそれぞれ、電子辞書端末６００の入力部６０４及び表示部６０６に相当する。
【０１０６】
すなわち、サーバ７００がホスト（或いはサーバ）、電子辞書端末６００が端末（或いはクライアント）に相当するホスト・端末のシステム（或いはクライアント／サーバ型のシステム）を形成する。そして、電子辞書端末６００の入力部６０４から入力された入力文字等が通信装置６０８を介してサーバ７００に送信され、サーバ７００のＣＰＵ７０２が記憶部７１４に記憶された各種データ及び各種プログラムに従って第１語義表示処理等を実行し、処理結果を通信装置６０８を通じて電子辞書端末６００に送信して表示部６０６に表示させる。このように、サーバ７００及び電子辞書端末６００から構成されるシステムで、本発明を実現することも可能である。この場合、電子辞書端末６００においては、英和辞典ＤＢや第１語義表示プログラム等を記憶しておく必要がなく、また第１語義表示処理等を実行する必要もない。このため、演算処理能力が比較的低いＣＰＵ６０２や、記憶容量等が比較的小さいＲＯＭ６１０等を具備する電子辞書端末６００（例えば携帯電話）であってもよい。
【０１０７】
さらに、第２の実施の形態においても、同様に、本発明が適用可能な装置はこれに限られるものではなく、通信装置を内蔵或いは接続可能に構成し、サーバと通信することによって本発明に係る装置を実現することも可能である。
【０１０８】
具体的には、図１７において、電子辞書１のＣＰＵ１０が実行する第２語義表示処理等はサーバ７００のＣＰＵ７０２が実行する。また電子辞書１のＲＯＭ２０が記憶する英和辞典ＤＢや第２語義表示プログラム等はサーバ７００の、ハードディスク等から構成される記憶部７１４が記憶する。また、第２語義表示処理等の実行に伴うデータはサーバ７００のＲＡＭ７１２が記憶する。
【０１０９】
【発明の効果】
請求項１又は８に記載の発明によれば、入力文字を含む例文を表示し、その表示した例文の中から一の例文が選択される。そして、選択された例文に対応する見出語の説明情報を表示する際に、説明情報をスクロール表示することにより、当該例文で用いられた説明情報を適切に表示することが可能となる。従って、複数の説明情報の語義から、例文で用いられている語義について直接的に分かるだけではなく、スクロール表示がされることにより、他の説明情報についても概略を知ることができる。
【０１１０】
請求項２又は９に記載の発明によれば、入力文字を含む例文を表示し、その表示した例文の中から一の例文が選択される。そして、選択された例文に対応付けられた見出語の説明情報を表示する際に、当該例文に対応付けられた説明情報の語義の位置を直接表示することが可能となる。従って、選択された例文に適切な見出語の語義を表示する事ができる。
【０１１１】
請求項３に記載の発明によれば、複数単語を入力し、複数単語が含まれる例文を表示させる事が可能となる。
【０１１２】
請求項４に記載の発明によれば、例文とともに、例文で用いられている見出語を表示することが可能となる。従って、例文が、どの見出語に対応付けられて記憶されているかを容易に視認することができる。
【０１１３】
請求項５に記載の発明によれば、例文とともに、例文で用いられた見出語の語義について、識別子を表示することが可能となる。従って、ユーザは、予めどの語義に対応付けられているかを視認することが可能となる。
【０１１４】
請求項６又は１０に記載の発明によれば、利用者端末から入力文字を受信し、受信された入力文字を含む例文を送信する。そして、送信した例文の中から一の例文を指定する情報を受信し、指定された例文に対応付けられた見出語と、当該見出語の説明情報を読み出して送信するとともに、送信された説明情報が例文に対応付けられた語義の部分が適切に表示されるまで、スクロール表示させる制御信号を送信することができる。従って、利用者端末において、例文で利用されている見出語の語義の説明情報を表示させる場合に、自分でスクロール動作をする必要が無く、自動的に表示させることが出来る。
【０１１５】
請求項７又は１１に記載の発明によれば、利用者端末から入力文字を受信し、受信された入力文字を含む例文を送信する。そして、送信した例文の中から一の例文を指定する情報を受信し、指定された例文に対応付けられた見出語と、当該見出語の説明情報を読み出して送信するとともに、送信された説明情報が例文に対応付けられた語義の説明情報を直接表示させる制御信号を送信することができる。従って、利用者端末において、適切な説明情報を直接的に表示させることが可能となる。
【図面の簡単な説明】
【図１】本発明を適用した電子辞書及び入力部の一例を示す図である。
【図２】第１の実施の形態における電子辞書のブロック図を示す図である。
【図３】第１の実施の形態における英和辞典ＤＢのデータ構成の一例を示す図である。
【図４】第１の実施の形態における英和辞典例文ＤＢのデータ構成の一例を示す図である。
【図５】第１の実施の形態における（ａ）単語例文テーブル、（ｂ）例文番号格納領域のデータ構成の一例を示す図である。
【図６】第１の実施の形態における第１語義表示処理のフローチャートを示す図である。
【図７】第１の実施の形態における表示画面の遷移の一例を示す図である。
【図８】第１の実施の形態における表示画面の遷移の一例を示す図である。
【図９】第１の実施の形態における表示画面の遷移の一例を示す図である。
【図１０】（ａ）第１の実施の形態における表示画面の遷移の一例、（ｂ）第２の実施の形態におけるＲＯＭの構成を示す図である。
【図１１】第２の実施の形態における第２語義表示処理のフローチャートを示す図である。
【図１２】第２の実施の形態における表示画面の遷移の一例を示す図である。
【図１３】第２の実施の形態における表示画面の遷移の一例を示す図である。
【図１４】第２の実施の形態における表示画面の遷移の一例を示す図である。
【図１５】第２の実施の形態における変形例の表示画面の遷移の一例を示す図である。
【図１６】本実施の形態の変形例におけるブロック図の一例を示す図である。
【図１７】従来技術における画面の遷移の一例を示す図である。
【符号の説明】
１          電子辞書
１０      ＣＰＵ
２０、２２  ＲＯＭ
２０２  英和辞典ＤＢ
２０４  英和辞典例文ＤＢ
２０６  単語例文テーブル
２０８  第１語義表示プログラム
２２０  第２語義表示プログラム
３０      ＲＡＭ
３０２  入力文字格納領域
３０４  例文番号格納領域
４０      入力部
５０      表示部
６０      バス
３    ディスプレイ
５    キー群
７    決定キー
９    方向キー
１１    ジャンプキー
【図１】
2005025293.tif 000003
【図２】
2005025293.tif 000004
【図３】
2005025293.tif 000005
【図４】
2005025293.tif 000006
【図５】
2005025293.tif 000007
【図６】
2005025293.tif 000008
【図７】
2005025293.tif 000009
【図８】
2005025293.tif 000010
【図９】
2005025293.tif 000011
【図１０】
2005025293.tif 000012
【図１１】
2005025293.tif 000013
【図１２】
2005025293.tif 000014
【図１３】
2005025293.tif 000015
【図１４】
2005025293.tif 000016
【図１５】
2005025293.tif 000017
【図１６】
2005025293.tif 000018
【図１７】
2005025293.tif 000019